(57)【特許請求の範囲】
【請求項１】
先細り状の帽筒部の大径側端部に該大径側端部よりも大径の短筒部を接続し、該短筒部の接続側端部外周の一部に少なくとも１個の係止突起を突設するとともに、該短筒部の底部外周に鍔部を設けてなり、前記係止突起の下方から前記鍔部の一部に該係止突起とほぼ同じ幅で縦長の係止孔又は係止凹溝を設け、１つの保持具を他の保持具の中空部に挿脱自在に挿入することにより複数個の保持具を軸方向に積み重ね可能としたボビン等用保持具の短筒部を固定板に設けた固定孔の内周壁を押し拡げながら嵌着したことを特徴とするボビン等用保持板。
【発明の詳細な説明】
【０００１】
【産業上の利用分野】
本発明は、ボビン等を箱体に収納して梱包、輸送する際に、ボビン等を箱体内で固定、保持するためのボビン等用保持板に関する。
【０００２】
【従来の技術】
従来より、この種の保持具には種々のものが提案さているが、その代表的なものの１つに実公昭４６−１３５１３号公報記載のボビン収納用ソケットがある。このソケットは、図１２に示すように、円筒状のソケット本体１の下部に鍔２を設けるとともに、ソケット本体１の外周面３に突起物４を設けたものであって、段ボール紙等の台板５に設けた孔にソケット本体１を嵌着し、ソケット本体１の台板５から突出した部分にボビン６を嵌挿して把持する。
【０００３】
【発明が解決しようとする課題】
しかし、かかる構造のソケットにあっては、図１３に示すように、ソケットを嵌着した台板５を複数枚積み重ねて保管したり、輸送したりする場合、上下のソケット同士が突き当たって全体の高さが減らないため嵩張り、広いスペースが必要となって保管、輸送の効率が悪いという欠点があった。
一方、台板５からソケットを取り外して保管、輸送しようとすると、突起物４のためにソケットの取り外しに手間がかかる上に、１つのソケットを他のソケットの中空部に挿入可能な形状になっていないために、取り外して集めたソケットが嵩張り、やはり取扱いに難があるという問題があった。
本発明は、従来のソケットを改良して、前記のような欠点を解消することを目的とする。
【０００４】
【課題を解決するための手段】
上記目的を達成するために、本発明のボビン等用保持板は、先細り状の帽筒部の大径側端部に該大径側端部よりも大径の短筒部を接続し、該短筒部の接続側端部外周の一部に少なくとも１個の係止突起を突設するとともに、該短筒部の底部外周に鍔部を設けてなり、前記係止突起の下方から前記鍔部の一部に該係止突起とほぼ同じ幅で縦長の係止孔又は係止凹溝を設け、１つの保持具を他の保持具の中空部に挿脱自在に挿入することにより複数個の保持具を軸方向に積み重ね可能とした上記保持具の短筒部を固定板に設けた固定孔の内周壁を押し拡げながら嵌脱自在に嵌着してボビン等用保持板としたことにより、保持具の嵌脱が容易であるばかりでなく、１つの保持板の保持具を他の保持板の保持具の中空部に挿脱自在に挿入することにより、複数枚の保持板をコンパクトに積み重ね可能としたものである。
【０００５】
【作用】
上記構成の保持板による場合には、固定板の固定孔に保持具を帽筒部側から挿入し、短筒部の係止突起が固定孔の周縁部に当接した時点で短筒部を強く押し込む。係止突起は、固定孔の内周壁を局部的に押し拡げながら固定孔内に進入し、保持具の鍔部が固定板に当接した時点で固定孔の反対側に出る。その際、固定孔の内周壁は、係止突起からの押圧力が無くなるため、固定板の素材の弾性力により膨脹して復元して係止孔又は係止凹溝内に食い込む。かくして、保持具は、係止突起と鍔部との間に固定板を挟持する状態となり、短筒部が係止突起及び係止孔又は係止凹溝の協同係止作用により固定孔内に確実に嵌着される。そして、帽筒部は固定板から突出しており、これにボビン等を挿入して保持する。
保持具を固定板から取り外すには、保持具の帽筒部を係止突起の抵抗力に抗して強く押し込むだけでよく、簡単である。取り外した保持具は、１つの保持具を他の保持具の中空部に挿入して複数の保持具を積み重ねできるので、保管や輸送に大きなスペースを必要とせず、取り扱いが容易である。
なお、保持具を嵌着したままの固定板を複数枚積み重ねて保管、輸送する場合には、保持具を固定板から取り外す労力が省けるとともに、上下の保持具を軸方向に積み重ねることにより全体の高さが低くなり、保管、輸送に必要なスペースが狭くてすむ。
【０００６】
【実施例】
以下、本発明の実施例を図１〜図１１に基づいて説明する。
図１及び図２は実施例１における保持具を示す。この保持具は、硬質の合成樹脂や金属等からなる中空円筒体で、先端部が半球状で胴部が先細り状の帽筒部１１の大径側端部に、該大径側端部よりも大径の円筒状短筒部１２を接続し、短筒部１２の接続側端部外周に３個の係止突起１３を等間隔に突設するとともに、短筒部１２の底部外周に鍔部１４を設けてなり、係止突起１３の下方から鍔部１４の一部に係止突起１３とほぼ同じ幅で縦長の係止孔２０を設けるとともに、固定板１６の固定孔１７の孔径を短筒部１２の外径と同じか僅かに小さ目にしたもので、その中空部１５は他の保持具の帽筒部１１を軸方向に挿脱自在に挿入できるように形成されている（図７参照）。
【０００７】
上記構成の保持具を固定板に嵌着したボビン等用保持板によりボビン等を箱体内に固定、保持するには、まず、図３に示すように、段ボール紙、発泡合成樹脂、合成樹脂等からなる固定板１６に固定孔１７を少なくとも１個設け、固定孔１７に保持具を帽筒部１１側から挿入し、係止突起１３が固定孔１７の周縁部に当接した時点で、短筒部１２を係止突起１３の抵抗力に抗して強く押し込む。
これにより、係止突起１３は、図４に示すように、固定孔１７の内周壁を局部的に押し拡げながら固定孔１７内に進入する。
続いて図５に示すように、鍔部１４が固定板１６に当接した時点で、係止突起１３は固定孔１７の反対側に出る。その際、固定孔１７の内周壁は、係止突起１３からの押圧力が無くなるので、固定板１６の素材の弾発力により膨脹復元して係止孔２０内に食い込む（図示せず）。かくして、短筒部１２は、係止突起１３及び係止孔２０の協同係止作用により固定孔１７内に確実に嵌着される。
なお、係止孔２０の代わりに係止凹溝を設けてもよく、作用、効果は変わらない。
かくして、保持具は、係止突起１３と鍔部１４との間に固定板１６を挾持する状態となり、短筒部１２が固定孔１７に嵌着される。帽筒部１１は、全体が固定板１６から突出している。
【０００８】
然る後に、図６に示すように、固定板１６から突出した帽筒部１１をボビン１８等の両端部に挿入し、全体を箱体１９内に収納してボビン等１８を固定、保持する。
【０００９】
なお、係止突起１３が固定孔１７内に進入し易くするために、係止突起１３の先端部上面に丸味（図１参照）や匂配を付したり、また、短筒部１２を固定孔１７内に一層確実に嵌着するために、固定孔１７の孔径を短筒部１２の外径と同じか僅かに小さめにしておくことが好ましい。
【００１０】
保持具を固定孔１７から取り外すには、帽筒部１１を係止突起１３の抵抗力に抗して強く押し込むことにより簡単に取り外すことができる。逆に、取り外した保持具を再度固定孔１７に嵌着するに際しては、係止突起１３の位置を前回嵌着時の位置から少しずらして嵌着するのがよい。これにより、固定板１６は、保持具の嵌着を不確実にすることなく、繰り返し使用することが可能になる。
【００１１】
また、保持具を固定板１６に嵌着したボビン等用保持板を複数枚積み重ねて保管、輸送する場合には、図７に示すように、下方の保持具の帽筒部１１を上方の保持具の中空部１５内に挿脱自在に挿入して、上下の保持具を軸方向に積み重ねることにより、全体の高さを低くし、保管、輸送に必要なスペースを節減することができる。
【００１２】
図８は、実施例２における保持具を示す。この保持具は、実施例１における係止突起１３を４個等間隔に突設した構成からなり、これ以外は、実施例１と全く同様に構成されている。
【００１３】
図９は、実施例３における保持具を示す。この保持具は、実施例１における係止突起１３を６個等間隔に突設した構成からなり、これ以外は、実施例１と全く同様に構成されている。
【００１４】
本発明において、係止突起１３は少なくとも１個設ければよいが、上記実施例２〜３におけるように、係止突起１３の個数を増やすほど短筒部１２を固定孔１７に確実に嵌着することができる。しかしながら、係止突起１３の数は通常２〜６個程度が適当である。６個を越えると、短筒部１２の固定板１６からの嵌脱に大きな力を要するのみならず、固定板１６の繰り返し使用可能な回数がますます減るからである。実施例２〜３のその他の作用、効果は実施例１と同じである。
【００１５】
図１０及び図１１は、実施例４における保持具を示す。この保持具は、実施例１における帽筒部１１の先端部を尖頭状にして、複数個の保持具を軸方向に安定的に積み重ね易くしたもので（図１０中の２点鎖線状参照）、その他の構成及び作用、効果は実施例１と異ならない。
【００１６】
本発明のボビン等用保持板は、ボビンに限らず、芯体にフィルム、金属箔、布等を捲回したものにも適用可能であり、更に図示を省略したが、帽筒部の先端部にボビン等の支持孔を設けることにより、芯体が円筒体でなく棒状体のボビン等にも適用可能となる。
また、上記例においては、保持具を係止突起と鍔部との間に固定板を挟持する場合について説明したが、この他に例えば係止突起を固定板の固定孔内にとどめ、係止突起の押圧力と固定板の弾発力とにより嵌着させることも可能である。
【００１７】
【発明の効果】
本発明のボビン等用保持板は、以上説明したように、帽筒部を先細り状にして１つの保持具の帽筒部を他の保持具の中空部に挿脱自在に挿入可能にしたので、複数個の保持具を軸方向に積み重ねることが可能になり、保持具を複数個積み重ねて保管、輸送したり、保持具を固定板に嵌着したままのボビン等用保持板を複数枚積み重ねて保管、輸送する場合には全体の高さが低くなり、保管輸送に必要なスペースを節減することができる。
【００１８】
また、本発明における保持具は短筒部の接続側端部外周の一部に少なくとも１個の係止突起を突設するとともに前記係止突起の下方から前記鍔部の一部に該係止突起とほぼ同じ幅で縦長の係止孔又は係止凹溝を設けたことにより、固定孔の内周壁を局部的に押し拡げながら固定孔内に進入し、進入した後、内周壁は膨張して係止孔又は係止凹溝内に食い込み、短筒部が係止突起及び係止孔又は係止凹溝の協同係止作用により固定孔に嵌着され、一方、帽筒部を係止突起の抵抗力に抗して強く押し込むことにより簡単に取り外すことができる。更に、取り外した固定具を再度固定孔に嵌着するに際しては、係止突起の位置を前回嵌着時の位置からずらせることにより、固定板は保持具の嵌着を不確実にすることなく、繰り返し使用することができる。
更に、保持具の短筒部に係止突起を突設して、係止突起と鍔部との間に固定板を挾持ようにしたので、保持具の短筒部を固定板の固定孔に確実に嵌着することができるとともに、保持具の嵌脱が容易であり、固定板の繰り返し使用可能回数が大幅に増加する。
【００１９】
更にまた、前記のように保持具を固定板に確実に嵌着することができるので、保持具を固定板に嵌着する作業中に嵌着ずみの保持具が脱出、落下することがなく、作業能率が向上し、また、取扱い中や輸送中の振動等により保持具が固定板から離脱することがなく、ボビン等を傷めずに輸送することができる。
【００２０】
【図面の簡単な説明】
【図１】  本発明の実施例１における保持具の一部切欠き正面図である。
【図２】  図１の平面図である。
【図３】  本発明の実施例１における保持具を固定板に嵌着しボビン等用保持板とする工程図である。
【図４】  本発明の実施例１における保持具を固定板に嵌着しボビン等用保持板とする工程図である。
【図５】  本発明の実施例１における保持具を固定板に嵌着しボビン等用保持板とする工程図である。
【図６】  本発明の実施例１のボビン等用保持板の使用方法を示す工程図である。
【図７】  本発明の実施例１における保持具を嵌着したボビン等用保持板を複数枚積み重ねた状態を示す断面図である。
【図８】  本発明の実施例２における保持具の平面図である。
【図９】  本発明の実施例３における保持具の平面図である。
【図１０】  本発明の実施例４における保持具の正面図である。
【図１１】  図１０の平面図である。
【図１２】  従来の保持具の一例を示す断面図である。
【図１３】  従来の保持具を嵌着したままの固定板を複数枚積み重ねた状態を示す断面図である。
【符号の説明】
１１  帽筒部                １２  短筒部
１３  係止突起              １４  鍔部
１５  中空部                １６  固定板
１７  固定孔                １８  ボビン等
２０  係止孔
【図１】
0003664525.tif 000002
【図２】
0003664525.tif 000003
【図３】
0003664525.tif 000004
【図４】
0003664525.tif 000005
【図５】
0003664525.tif 000006
【図６】
0003664525.tif 000007
【図７】
0003664525.tif 000008
【図８】
0003664525.tif 000009
【図９】
0003664525.tif 000010
【図１０】
0003664525.tif 000011
【図１１】
0003664525.tif 000012
【図１２】
0003664525.tif 000013
【図１３】
0003664525.tif 000014